(57)【要約】      （修正有）【課題】抄紙機／板紙抄紙機におけるロール面の保守に使用するドクターブレードが損傷を受けないで保管できる保管箱を提供する。【解決手段】ドクターブレードの保管箱は多角形構造であり、その内部には、ドクターブレード(t1、t2)によって形成されたリール(R)が配設されている。保管箱の側面の開口部(11)を通して、ドクターブレード(t1, t2,…)を保管箱(10)内部に位置するリール(R)から引き出すことができる。その内部において、保管箱(10)は、支承手段、好ましくは少なくとも１枚の個別の円盤を含み、この円盤は、ドクターブレードで形成されたリール(R)の側面に回動自由に配設されている。【選択図】図１Ａ
2007204149.tif 000002
【特許請求の範囲】
【請求項１】
多角形構造であり、内部にドクタブレードによって形成されるリールが配設され、側面の開口部を通して、内部に位置する前記リールから前記ドクタブレードを引き出すことができる抄紙機／板紙抄紙機におけるロール面の保守に使用するドクタブレードの保管箱において、
該保管箱は、その内部に、支承手段を含み、該支承手段は支承部を含み、該支承部は円盤であって前記リールの側面に回動自在に配設されていることを特徴とするドクタブレードの保管箱。
【請求項２】
請求項１に記載の保管箱において、該保管箱はさらに別の円盤を含み、前記両円盤は前記リールのそれぞれの面に配設されるように構成されていることを特徴とするドクタブレードの保管箱。
【請求項３】
請求項１または２に記載の保管箱において、前記支承部にはコーティングが施されていることを特徴とするドクタブレードの保管箱。
【請求項４】
請求項１ないし３のいずれかに記載の保管箱において、該保管箱および前記支承部の材質は、段ボール、厚紙または硬質なプラスチックであることを特徴とするドクタブレードの保管箱。
【発明の詳細な説明】
【詳細な説明】
【０００１】
本発明は、抄紙機／板紙抄紙機におけるロール面の保守に使用するドクタブレードの保管箱に関するものである。
【０００２】
従来技術の解決例では、ドクタブレードは、製紙工場で直状ブレードとしてドクタブレード用保管棚に保管されていた。この場合、常にむき出しにされているブレードが損傷を受ける危険性がある。ブレード面の小さなへこみでさえ、ブレードは使用不能になる。
【０００３】
本特許出願では、ブレードを保管する全く新規な解決例を提案する。本特許出願で提案するのは、ドクタブレード用に保管箱を使用することである。各ドクタブレードはそれらの端部から接続したうえで、これらのブレードをリールに巻き取っておく。このドクタブレードのリールを保管箱へ挿入しておき、ドクタブレードのリールを巻き戻すことによって、ドクタブレードはこの保管箱から取り出す／引き出すことができる。
【０００４】
本発明によれば、この保管箱は２つの部分、すなわち蓋部と底部とを含む。蓋部は、カバーの縁が底部の縁を囲むように取り付ける。この箱は、好ましくは８角形状である。本発明によれば、ドクタブレードのリールの回転を促す別個の支承手段が、この箱の蓋部と底部の内側に設けられている。保管箱は、好ましくは厚紙製であるから、支承部も好ましくは厚紙製である。支承手段は、好ましくは２枚の円盤を含み、これに押し当てて、ドクタブレードのリールRの側面が配置されている。この円盤のうちの一方はドクタブレードのリールの一方の側面に押し当てて、また他方の円盤は他方の側面に押し当てて、自在に配設されている。さらに、これらの円盤の一方がやはり厚紙製のバックアップ支承部に押し当って位置するように配設されている。好ましくは、両方の円盤の両面を、摩擦を減少させるコーティングで処理しておく。円盤のコーティングされた支承面は、好ましくは同様にコーティングされたバックアップ支承面に押し当てて配置されている。円盤10a3’用の、好ましくはシリコンコーティングされた一方のバックアップ支承面はバックアップ支承部10a3”の平らな面であり、他方の円盤10a30’用の、好ましくはシリコンコーティングされた第２のバックアップ支承面は、底部10a1の内側の平らな面である。
【０００５】
支承部10a3”は８角形のプレートで出来ていて、このプレートの各折り曲げ部分は、プレートの中央領域の底面に対して90度の角度に折り曲げてある。この折り曲げた縁部は、ドクタブレードのリールRの外周で支承面を形成する。このため、ドクタブレードの側面とこの外周との間の摩擦が減少する。他方の円盤10a30’は、ドクタブレードのリールRの他方の側面と底部10a1の内面との間に配設されている。
【０００６】
こうして、保管箱には内部支承手段が設けられ、これによって、ドクタブレードのリールが容易に回転し、リールを容易に繰り出し、すなわちこの箱の内部からブレードを容易に引き出すことが可能になる。最後のドクタブレードをこの箱内部から引き出すまで、この箱は終始、保管箱として機能する。
【０００７】
本発明によるドクタブレードの保管箱は、特許請求の範囲に記載の事項を特徴とする。
【０００８】
添付図面における各図に示す本発明のいくつかの好適な実施例を参照して、本発明を以下に説明するが、本発明は、これらの実施例のみに限定されるものではない。
【０００９】
図1Aは、本発明による保管箱10を不等角投影法で示す図である。保管箱10は、好ましくは８角形であって、材質は段ボール、厚紙、比較的硬質のプラスチックなどである。この図に示すように、ドクタブレードのリールRは、引出し開口部11を通って保管箱10から引き出すことができる。
【００１０】
図1Bは、ドクタブレードのリールRの構成原理を示す図であり、ドクタブレードt1、t2…は、各ブレード端部が相互に重なりながら、これらの端部から拘束帯によって互いに接続されている。
【００１１】
図1Cは、各部10a1、10a2、10a3へ分解した保管箱10を示す。保管箱10は、底部10a1、蓋部10a2、および箱の内部に配置された支承手段10a3を含む。この支承手段は、好ましくは円盤である第１の支承盤10a3’、およびバックアップ支承部10a3”、および好ましくは円盤である第２の支承盤10a30’からなる。両円盤10a3’、10a30’の盤面は摩擦低減材、好ましくはシリコンでコーティングされている。同様に、円盤10a3’、10a30’が押し当たって配されるバックアップ支承部10a3”および底部10a1の各平面部は、摩擦低減材、好ましくはシリコンでコーティングされている。この図に示すように、保管箱10は、好ましくは８角形であり、そこで、その側面のうちのひとつの支持で簡単に重ねることができる。その場合、ドクタブレードは、保管箱の側面に設けられた通り抜け開口部11を通して、箱の内部にあるドクタブレードのリールRから引き出すことができる。通り抜け開口部11は、各部10a2、10a1および10a3”のそれぞれ同じ位置に上下に配され、ドクタブレードt1、t2…は、保管箱10の各部10a2、10a1および10a3”に設けられた開口部11を通してリールRから引き出すことができる。
【００１２】
図2Aは、保管箱の底部10a1および蓋部10a2の展開図である。底部10a1および蓋部10a2は、８辺の縁部、すなわち縁部P1、P2、P3、P4、P5、P6、P7およびP8を含む。これら縁部には、折り目D1、D2、D3…D8が設けられている。この部分の展開図を上方から見ると、折り目D1、D2、D3…D8; D2’、D4’、…D8’の折り線は、８角形を形成している。この箱の底部領域eの各縁部では、２つ目ごとの縁部P2、P4、P6…それぞれについて対応するスロットf1、f2があって、これらスロットf1、f2…に関する縁部P2に関連する折り曲げ縁部P2’は折り曲げ可能であり、この折り曲げ縁部に関連する固定用舌片c1、c2…をスロットf1、f2へ挿入する。
【００１３】
箱を組み立てるとき、縁部P1、P2…P8を起こして、底部領域eの面平面に対して垂直になるようにする。２つ目ごとの縁部P1、P3を折り曲げて、たとえば折り目D1、D3の方向または線に対して斜めの縁部P1a、P3a…が、隣接する縁領域の縁部P2、P2’間、P4、P4’間…に来るようにする。折り曲げ縁部P2’の縁部舌片c1、c2は、中央領域eの対応するスロットf1、f2に固定する。縁部P1の斜め端部P1Aは、縁部P2、P2’間に固定する。
【００１４】
図2Bは、ドクタブレードの保管箱10の底部10a1の構成図であって、また蓋部10a2の構成図でもあり、縁部P1、P2、P2’は前述のように折り曲げられて、縁部P2’の縁部舌片c1、c2は、底部領域eの対応するスロットf1、f2の中へ差し込まれている。蓋部10a2の構造は、底部10a1の構造と同じである。蓋部10a2は、底部10a1より寸法が大きく、蓋部10a2は、底部10a1の周りに嵌め込む。
【００１５】
図2Cは、一緒に折り曲げた各部10a1、10a2、すなわち図2Bに示した段階に続く折り曲げの最終段階を示す図である。
【００１６】
図3Aは、支承部10a3の構成を示す。支承部10a3は、バックアップ支承部10a3”に押し当てて配される支承部10a3’を含んでいる。部材10a3’は円盤であって、その外面には、摩擦を減少させるコーティング、好ましくはシリコンコーティングが施されている。円盤10a3’の外面は、バックアップ支承部10a3”のバックアップ支承面Nと接触させる。この面Nも好適には、摩擦を減少させる物質で処理、好ましくはコーティング、好ましくはシリコンコーティングを施しておく。
【００１７】
図3Bは、バックアップ支承部10a3”の展開図である。バックアップ支承部10a3”は、同じく８角形構造からなり、８辺の縁部M1、M2、M3…M8を含む。縁部M1…M8は、プレート部10a3”の中央領域e2の外縁に位置し、折り目または折り線n1、n2…n8が施されている。縁部M1、M2…は、折り目n1、n2…に対して垂直に位置する端縁部i、および折り線n1、n2…に対して斜めに位置する第２の端縁部i’を具えている。
【００１８】
図3Cに示すように、バックアップ支承部10a3”の縁部M1、M2…を折り曲げて、中央領域e2の面に垂直にする。この場合、たとえば、縁部M1の斜め端縁部i’は、隣接する縁部M8の端縁部iの下に配する。
【００１９】
図3Dは、支承円盤10a3’または10a30’を別個に示した図である。
【図面の簡単な説明】
【００２０】
【図１Ａ】本発明によるドクタブレードの保管箱10を組み立てた状態の図である。この保管箱10は、内部にドクタブレードt1、t2、…、からなるリールRを含み、これらドクタブレードは、保管箱の側面に設けられた開口部を通って送り出される。
【図１Ｂ】ドクタブレードt1、t2からなるドクタブレードのリールRの図である。
【図１Ｃ】ドクタブレードの保管箱の分解組立図である。
【図２Ａ】保管箱の底／蓋部の展開図である。
【図２Ｂ】折り目に沿って底／蓋部の縁部を折り曲げ、縁部分を中央領域に対して垂直に形成し、縁部分を中央領域の縁部にあるスロットに固定した図である。
【図２Ｃ】折り曲げの第２の段階、すなわち隣接した縁部分を相互のかみ合わせた段階を示す図である。
【図３Ａ】２つの協働する構成要素からの支承部の形成を示す図である。本図示は一部分、不等角投影図である。
【図３Ｂ】バックアップ支承部の展開図である。
【図３Ｃ】支承構造の縁部分を形成するために、中央領域に対して垂直にバックアップ支承部の縁部を折り曲げた図である。
【図３Ｄ】好ましくは円盤である支承部を示す図である。
【図１Ａ】
2007204149.tif 000003
【図１Ｂ】
2007204149.tif 000004
【図１Ｃ】
2007204149.tif 000005
【図２Ａ】
2007204149.tif 000006
【図２Ｂ】
2007204149.tif 000007
【図２Ｃ】
2007204149.tif 000008
【図３Ａ】
2007204149.tif 000009
【図３Ｂ】
2007204149.tif 000010
【図３Ｃ】
2007204149.tif 000011
【図３Ｄ】
2007204149.tif 000012